(57)【要約】【課題】遊技場の隣り合う遊技者が喫煙するタバコの煙の流入が確実に阻止されるようにし、遊技環境を改善できる椅子を提供する。【解決手段】座部３の下側に軸受部５を設け、先端に肘掛け６が設けられたアーム７の基端部を該座部の下側にて回転自在に支持することにより該肘掛けを後方起立状態から前方張出状態に傾倒し得るように構成し、該肘掛け内にモータ２２と送風ファン２３と空気フィルタ２４とからなる送風機２５を設け、該肘掛けの上面外側縁に突堤２０を形成し、前記送風機の風を上向きに吹き出させる吹出口２１を該突堤の上面に形成し、該送風機へ電源を供給する電線１７を前記アーム内に配設し、さらに該肘掛けを後方起立状態とすることで該送風機への電源をオフさせる連動スイッチ１１を設けてなる。【選択図】  図１
2005006846.tif 000002
【特許請求の範囲】
【請求項１】
座部の下側に軸受部を設け、先端に肘掛けが設けられたアームの基端部を該座部の下側にて回転自在に支持することにより該肘掛けを後方起立状態から前方張出状態に傾倒し得るように構成し、該肘掛け内にモータと送風ファンと空気フィルタとからなる送風機を設け、該肘掛けの上面外側縁に突堤を形成し、前記送風機の風を上向きに吹き出させる吹出口を該突堤の上面に形成し、該送風機へ電源を供給する電線を前記アーム内に配設し、さらに該肘掛けを後方起立状態とすることで該送風機への電源をオフさせる連動スイッチを設けてなることを特徴とした遊技場用椅子。
【請求項２】
座部に体重を感知しタイマーによって少なくとも数十秒間は送風機への通電状態を保つ着座スイッチを設けた請求項１に記載の遊技場用椅子。
【請求項３】
肘掛けに送風機の手元スイッチを設けた請求項１または２に記載の遊技場用椅子。
【請求項４】
肘掛け内にマイナスイオン発生器を設けた請求項１〜３に記載の遊技場用椅子。
【発明の詳細な説明】
【０００１】
【発明の属する技術分野】
本発明はパチンコ遊技場等の遊技場に設置する椅子に関するものである。
【０００２】
【従来の技術】
パチンコ遊技場では周知のように遊技機が隣り合うように多数設置されることから、遊技者が喫煙する煙が直に隣の席に流れ、互いに不快な思いをすることが多い。そのために、従来から遊技場においても禁煙地帯を設けるなどのいわゆる分煙対策がなされてきたが、遊技者は少しでも有利な台で遊技をしようとするので、禁煙が守られないことがあった。
【０００３】
【特許文献１】
実開平１−１１４８６０号公報
【特許文献２】
実開平４−６９０４８号公報
【０００４】
また、上記特許文献１に示されたエアーカーテン付椅子は、椅子本体の内部に送風機を設け、背もたれの上縁部に設けられたエア吹出口からエアを排出させることで、椅子の前側と後側との間にエアーカーテンが形成され、禁煙席と喫煙席とが分けられるようにするものである。
また、上記特許文献２に示された空気清浄機付き椅子は、肘掛け椅子の上面に灰皿を設け、該灰皿に隣接して空気吸入孔を設け、該灰皿に置かれたタバコの煙を該空気吸入孔に吸引させ、椅子本体の内部に設けられた空気清浄機を通過させることで、紫煙の拡散を防ごうとするものである。
【０００５】
【発明が解決しようとする課題】
ところで、従来の上記特許文献１に示されたエアーカーテン付椅子では、パチンコ遊技場のように椅子の隣どうしが非常に接近して設置された状況では効力が殆ど得られないものであった。また、特許文献２に示された椅子では、タバコを灰皿に置いていないと効力がなく、火の着いたタバコを手に持って喫煙している状況では煙が隣の遊技者に流れて来ることを防ぐことができなかった。このためこれらの椅子を遊技場の分煙対策とすることはできないものであった。
そこで、本発明はこれらの実状に鑑み、遊技場の分煙対策に最も適合する遊技場用椅子を提供しようとするものである。
【０００６】
【課題を解決するための手段】
そのために本発明に係る遊技場用椅子は、座部の下側に軸受部を設け、先端に肘掛けが設けられたアームの基端部を該座部の下側にて回転自在に支持することにより該肘掛けを後方起立状態から前方張出状態に傾倒し得るように構成し、該肘掛け内にモータと送風ファンと空気フィルタとからなる送風機を設け、該肘掛けの上面外側縁に突堤を形成し、前記送風機の風を上向きに吹き出させる吹出口を該突堤の上面に形成し、該送風機へ電源を供給する電線を前記アーム内に配設し、さらに該肘掛けを後方起立状態とすることで該送風機への電源をオフさせる連動スイッチを設けてなることを特徴とする。
また本発明は上記遊技場用椅子において、座部に体重を感知しタイマーによって少なくとも数十秒間は送風機への通電状態を保つ着座スイッチを設けたことを特徴とする。
また本発明は上記遊技場用椅子において、肘掛けに送風機の手元スイッチを設けたことを特徴とする。
また本発明は上記遊技場用椅子において、肘掛け内にマイナスイオン発生器を設けたことを特徴とする。
【０００７】
【発明の実施の形態】
次に本発明の実施の形態を図面と共に説明する。図１は本発明に係る遊技場用椅子の外観斜視図、図２はその部分断面側面図、図３は図２のＡ−Ａ線断面矢視図である。この椅子は遊技場のフロアに固着される基板１により支脚２が垂直に樹立され、該支脚１上に座部３が支持され、該座部３に背もたれ４が設けられ、該座部３の下側に軸支部５が設けられる。７は中空パイプを折り曲げることにより製作されたアームで、該アームの先端に肘掛け６が設けられ、該アームを座部３の一側に配置し、該アーム７の基端部を前記軸受部５に回転自在に支持する。８は該アームの基端部に突設されたピンで、該ピン８を該軸受部５の周側面に形成された長孔９に遊嵌させ、該長孔９の範囲内で該アーム７の基端部が回転し得るようにすることにより、肘掛け６が図２に破断線で示したような後方起立状態から図１，図２に実線で示したように前方張出状態に傾倒し得るように構成している。このためパチンコ遊技等をするに際して遊技者は右肘をこの前方張出状態とした肘掛け６上に乗せることでハンドル操作を楽に行えるようにしている。一方、肘掛け６を使わないときは後方起立状態とすることにより、着座時等に邪魔にならないようにできる。なお、座部３中には遊技者が腰掛けることにより体重を感知しオンする着座スイッチ１０が設けられる。１１は肘掛け６を前方張出状態に傾倒させたときピン８に当たってオンするように該軸受部５に設けた連動スイッチである。
【０００８】
また、１２は座部３の下面に設けられた制御ボックスである。該制御ボックス１２には支脚カバー１３の内側に配線された電線１４を介してフロア下から電源が供給される。該制御ボックス１２には前記着座スイッチ１０および連動スイッチ１１のオン・オフ信号が伝達されるように信号線１５，１６が配線されるとともに、該制御ボックス１２から電線１７を前記アーム７中を通って肘掛け６に配線している。そして制御ボックス１２は、前記連動スイッチ１１がオンし、前記着座スイッチがオンすることで電線１７を通して肘掛け６に給電するとともに、着座スイッチがオフしても少なくとも数十秒間は該電線１７への通電状態を保つタイマーを備えている。
【０００９】
肘掛け６はプラスチック製で略直方形の中空容器として形成されたもので、その上面外側縁に直線状の突堤２０が一体に形成され、該突堤の上面は前後方向に円弧状に湾曲した形状に形成され、該上面に多数の吹出口２１が適宜間隔で形成される。そして肘掛け６の内部に、図４にも示したように、送風機２５が設けられる。該送風機２５はモータ２２の回転軸にシロッコ型の送風ファン２３を固着し、該送風ファンの吸気孔側と相対する前壁面に空気フィルタ２４を設けてなる。そして、送風ファン２３を回転させることにより該空気フィルタ２４を介して吸引された空気を吹出口２１から上向きの風となるように吹き出させる。なお、該空気フィルタ２４は該肘掛け６の前壁面に着脱自在に設けられた通気板２６を外すことにより交換できるようにしている。また、２７は該肘掛け６の内部における送風ファン２３の吹出側に設けられたマイナスイオン発生器、２８は操作ボタンが外面に表れるように該肘掛け６の壁面に設けられた送風機２５の手元スイッチである。２９は同じく肘掛け６の壁面に設けられたマイナスイオン発生器２６の操作スイッチである。３０は肘掛け６の上面に設けられたクッション材である。
【００１０】
なお、座部３は従来からパチンコ用椅子に構成されているように、周知のスライド機構により前後にスライド可能に設けられ、なおかつ水平面内で回転可能に支持されているが、その詳しい構成は割愛する。
【００１１】
このように構成した遊技場用椅子では、遊技者が座部３に着座することで着座スイッチ１０がオンし、肘掛け６を前方張出状態に傾倒することで連動スイッチ１１がオンするので、制御ボックス１２より電線１７を通して肘掛け６に給電がなされ、遊技者が必要に応じて手元スイッチ２８をオンさせることによりモータ２２が作動し送風ファン２３が回転することから通気板２６，空気フィルタ２４を通して外の空気を該肘掛け６内に吸引し、突堤上面の多数の吹出口２１から該送風機の風が上向きに吹き出される。このため、この椅子に着座した遊技者の右側にエアーカーテンが形成され、この遊技者の右隣にて遊技している者の喫煙により発生した煙の流入を遮断することができる。なお、突堤２０の上面は前後方向に円弧状に湾曲した形状に形成され、これに多数の吹出口２１が形成されていることから、図示したように上記風は放射状に吹きだし上向き扇形のエアーカーテンが形成されることから、前後方向に拡がり遊技機に沿って流れる煙までこのエアーカーテンにより遮断することが可能となる。
また、肘掛け６に突堤２０を形成したことから遊技者の腕は常に該突堤の内側にあって吹出口２１を塞ぐおそれはなく空気の吹き出しが邪魔されない。
【００１２】
また、空気フィルタ２４は空気を清浄化するだけでなく、ハーブの香りを染み込ませるなど、芳香を付けることにより、タバコの臭い等も防ぎ得る。また、操作スイッチ２９を操作することによりマイナスイオン発生器２６が作動し、吹出口２１からマイナスイオンが空気と共に吹き出されることから一層心地よい環境を作ることができる。
【００１３】
また、肘掛け６を後方起立状態としたり、遊技者が席を立つと、連動スイッチ１１，着座スイッチ１０等がオフし制御ボックス１２からの給電がなくなり送風機２５は自動的に停止する。なお、制御ボックス１２中に設けられたタイマーよって着座スイッチ１０がオフしても少なくとも数十秒間は通電が継続されることから遊技者が座り直すために一時的に腰を浮かしても送風機２５は停止しない。
【００１４】
【発明の効果】
以上実施形態について説明したように本発明に係る遊技場用椅子は、傾倒自在に設けられた肘掛けの突堤に吹出口を設け送風機の風を上向きに吹き出させるようにしたので、隣り合う遊技者の喫煙によるいやな煙を確実に遮断することができ、遊技場の分煙対策を有効ならしめ遊技環境を改善できるとともに、送風機へ電源を供給する電線を肘掛けのアーム内に配設し該肘掛けを後方起立状態とすることで該送風機への電源をオフさせる連動スイッチを設けてなるので、配線が邪魔になることもなく、非使用時には該送風機が自動的に停止され無駄なく使用できるなど種々の利点がある。
【図面の簡単な説明】
【図１】本発明の実施形態を示す遊技場用椅子の外観斜視図。
【図２】図１の遊技場用椅子の部分断面側面図。
【図３】図１のＡ−Ａ線断面矢視図。
【図４】本発明の実施形態を示す遊技場用椅子の肘掛けの水平断面図。
【符号の説明】
３      座部
５      軸支部
６      肘掛け
７      アーム
１０    着座スイッチ
１１    連動スイッチ
１２    制御ボックス
１４    電線
１７    電線
２０    突堤
２１    吹出口
２２    モータ
２３    送風ファン
２４    空気フィルタ
２５    送風機
２７    マイナスイオン発生器
２８    手元スイッチ
【図１】
2005006846.tif 000003
【図２】
2005006846.tif 000004
【図３】
2005006846.tif 000005
【図４】
2005006846.tif 000006